(57)【要約】【課題】太陽電池を有する電子時計において、発電効率の低下を抑制する。【解決手段】電子時計は、太陽電池８０＿ａおよび太陽電池８０＿ｂと、平面視において、太陽電池８０＿ａおよび太陽電池８０＿ｂと重なる表示部を備え、太陽電池８０＿ａは、互いに電気的に直列に接続されるセル８１＿１ａとセル８１＿１ｂとを有し、太陽電池８０＿ｂは、互いに電気的に直列に接続されるセル８１＿３ｂとセル８１＿４ｂとを有し、太陽電池８０＿ａおよび太陽電池８０＿ｂは、互いに電気的に並列に接続される。【選択図】図４
2019194543.tif 000002
【特許請求の範囲】
【請求項１】
第１太陽電池および第２太陽電池と、
平面視において、前記第１太陽電池および前記第２太陽電池と重なる表示部と、を備え、
前記第１太陽電池は、
互いに電気的に直列に接続される第１セルと第２セルとを有し、
前記第２太陽電池は、
互いに電気的に直列に接続される第３セルと第４セルとを有し、
前記第１太陽電池および前記第２太陽電池は、互いに電気的に並列に接続される、
ことを特徴とする電子時計。
【請求項２】
前記第１太陽電池と前記第２太陽電池とは、
前記平面視において、前記表示部の６時位置および１２時位置を結ぶ直線で前記表示部を分割した第１領域と第２領域とのうち互いに異なる領域内に設けられる、
ことを特徴とする請求項１に記載の電子時計。
【請求項３】
第１太陽電池および第２太陽電池と、
平面視において前記第１太陽電池および前記第２太陽電池と重なる表示部と、を備え、
前記第１太陽電池は、
互いに電気的に並列に接続された第１セルと第３セルとを有し、
前記第２太陽電池は、
互いに電気的に並列に接続された第２セルと第４セルとを有し、
前記第１太陽電池と前記第２太陽電池とは、互いに電気的に直列に接続される、
ことを特徴とする電子時計。
【請求項４】
前記第１セルと前記第３セルとは、
前記平面視において、前記表示部の６時位置および１２時位置を結ぶ直線で前記表示部を分割した第１領域と第２領域とのうち互いに異なる領域内に設けられ、
前記第２セルと前記第４セルとは、
前記平面視において、前記第１領域と前記第２領域とのうち互いに異なる領域内に設けられる、
ことを特徴とする請求項３に記載の電子時計。
【請求項５】
前記表示部は、時刻を表示する指針を有し、
前記第１セルと前記第３セルとは、
前記平面視において、前記指針の指針軸に対して点対称に設けられ、
前記第２セルと前記第４セルとは、
前記平面視において、前記指針の指針軸に対して点対称に設けられる、
ことを特徴とする請求項１から４のいずれか１項に記載の電子時計。
【請求項６】
前記表示部は、時刻を表示する指針を有し、
前記第１セルと前記第３セルとは、
前記平面視において、前記表示部の６時位置および１２時位置を結ぶ直線に対して線対称に設けられ、
前記第２セルと前記第４セルとは、
前記平面視において、前記表示部の６時位置および１２時位置を結ぶ直線に対して線対称に設けられる、
ことを特徴とする請求項１から４のいずれか１項に記載の電子時計。
【請求項７】
第１太陽電池および第２太陽電池と、
平面視において、前記第１太陽電池および前記第２太陽電池と重なり、時刻を表示する指針を有する表示部と、を備え、
前記平面視において、前記第１太陽電池または前記第２太陽電池のいずれかに含まれる複数のセルのうち前記指針の回転運動が可能な範囲と重ならないセルを第１セル、前記平面視において、前記複数のセルのうち前記範囲と重なるセルを第２セルとしたとき、
前記平面視において、前記第１セルの面積は、前記第２セルと前記指針とが重なる面積が最も大きくなる最大面積を前記第２セルの面積から除いた面積以上、かつ、前記第２セルと前記指針とが重なる面積が最も小さくなる最小面積を前記第２セルの面積から除いた面積以下である、
ことを特徴とする電子時計。
【請求項８】
第１太陽電池および第２太陽電池と、
平面視において、前記第１太陽電池および前記第２太陽電池と重なり、時刻を表示する指針を有する表示部と、を備え、
前記平面視において、前記第１太陽電池または前記第２太陽電池のいずれかに含まれる複数のセルのうち前記指針と重なるセルを第２セル、前記平面視において、前記複数のセルのうち前記指針の指針軸に対して、前記第２セルより外側に配置され前記指針と重なるセルを第３セルとしたとき、
前記平面視において、
前記第３セルと前記指針とが重なる面積が最も大きくなる最大面積を前記第３セルの面積から除いた面積および前記第３セルと前記指針とが重なる面積が最も小さくなる最小面積を前記第３セルの面積から除いた面積は、
前記第２セルと前記指針とが重なる面積が最も大きくなる最大面積を前記第２セルの面積から除いた面積以上、かつ、前記第２セルと前記指針とが重なる面積が最も小さくなる最小面積を前記第２セルの面積から除いた面積以下である、
ことを特徴とする電子時計。
【請求項９】
前記表示部には、目盛りが設けられ、
前記平面視において、前記第１太陽電池または前記第２太陽電池のいずれかに含まれる複数のセルのそれぞれの面積から、前記目盛りと重なる面積を除いた面積が互いに略等しい、
ことを特徴とする請求項１から８のいずれか１項に記載の電子時計。
【請求項１０】
第１太陽電池および第２太陽電池と、
平面視において、前記第１太陽電池および前記第２太陽電池と重なる表示部と、を備え、
前記第１太陽電池は、１つのセルで構成され、
前記第２太陽電池は、互いに電気的に並列に接続された第２セルと第４セルとを有し、
前記第１太陽電池と前記第２太陽電池とは、互いに電気的に直列に接続される、
ことを特徴とする電子時計。
【請求項１１】
前記表示部と、前記第１太陽電池と、前記第２太陽電池とを収容する筐体を、
備えることを特徴とする請求項１から１０のいずれか１項に記載の電子時計。
【発明の詳細な説明】
【技術分野】
【０００１】
本発明は、電子時計に関する。
【背景技術】
【０００２】
近年、太陽電池が設けられた電子時計が普及している。例えば、特許文献１には、太陽電池を均等に分割した４つのセルが設けられた電子時計が開示されている。この電子時計に設けられた４つのセルは、互いに直列に接続されている。４つのセルを互いに直列に接続して得られた電圧によって、二次電池が充電される。
【先行技術文献】
【特許文献】
【０００３】
【特許文献１】特開２００３−２８７５７９号公報
【発明の概要】
【発明が解決しようとする課題】
【０００４】
しかしながら、互いに直列に接続されたセルの一部がユーザーの袖等によって遮光される場合、太陽電池が遮光されていない場合の発電量に対する実際の発電量の割合が、太陽電池全体の面積に対する遮光されていない面積の割合未満となる場合があり、発電効率が低下する問題があった。
【課題を解決するための手段】
【０００５】
本発明の好適な態様（第１態様）に係る電子時計は、第１太陽電池および第２太陽電池と、平面視において、前記第１太陽電池および前記第２太陽電池と重なる表示部と、を備え、前記第１太陽電池は、互いに電気的に直列に接続される第１セルと第２セルとを有し、前記第２太陽電池は、互いに電気的に直列に接続される第３セルと第４セルとを有し、前記第１太陽電池および前記第２太陽電池は、互いに電気的に並列に接続される。
【０００６】
複数のセルが互いに電気的に直列に接続されている場合、この複数のセルの発電電流は、この複数のセルのうち最も発電電流が少ないセルの電流で制限される。以上の態様では、第１太陽電池および第２太陽電池が、互いに電気的に並列に接続されているため、第１太陽電池または第２太陽電池の一方の太陽電池が遮光されたとしても、光が入射された他方の太陽電池によって電流が流れる。従って、第１太陽電池および第２太陽電池全体として発電することが可能になる。これに対し、４つのセルが互いに直列に接続されている場合、この４つのセルのいずれかが完全に遮光されると、遮光されたセルの電流が０となるため、この４つのセルは、ほとんど発電しなくなる。従って、以上の態様によれば、４つのセルが互いに直列に接続されている場合と比較して、発電効率の低下を抑制することが可能になる。
【０００７】
第１態様の好適例（第２態様）において、第１太陽電池と前記第２太陽電池とは、前記平面視において、前記表示部の６時位置および１２時位置を結ぶ直線で前記表示部を分割した第１領域と第２領域とのうち互いに異なる領域内に設けられる。
【０００８】
一般的に、電子時計は、ユーザーの腕に装着される可能性が高い。ユーザーの左腕に電子時計が装着された場合には、第１太陽電池または第２太陽電池に含まれる複数のセルのうち、９時方向に設けられたセルが、ユーザーの袖等によって遮光されやすい。同様に、ユーザーの右腕に装着された場合には、前述の複数のセルのうち、３時方向に設けられたセルが、ユーザーの袖等によって遮光されやすい。以上の態様によれば、電子時計がユーザーの左腕に装着された場合には、第１領域または第２領域のうち前述の直線に対して３時方向に位置する領域内に設けられた太陽電池によって、発電できる可能性を高くすることが可能になる。また、電子時計がユーザーの右腕に装着された場合には、第１領域または第２領域のうち前述の直線に対して９時方向に位置する領域内に設けられた太陽電池によって、発電できる可能性を高くすることが可能になる。
【０００９】
本発明の好適な態様（第３態様）に係る電子時計は、第１太陽電池および第２太陽電池と、平面視において、前記第１太陽電池および前記第２太陽電池と重なる表示部と、を備え、前記第１太陽電池は、互いに電気的に並列に接続された第１セルと第３セルとを有し、前記第２太陽電池は、互いに電気的に並列に接続された第２セルと第４セルとを有し、前記第１太陽電池と前記第２太陽電池とは、互いに電気的に直列に接続される。
【００１０】
以上の態様では、第１セルと第３セルとが、互いに電気的に並列に接続されているため、第１セルまたは第３セルの一方のセルが遮光されたとしても、光が入射された他方のセルによって電流が流れる。同様に、第２セルと第４セルとが、互いに電気的に並列に接続されているため、第２セルまたは第４セルの一方のセルが遮光されたとしても、光が入射された他方のセルによって電流が流れる。以上により、第１太陽電池および第２太陽電池のいずれも電流が流れるため、第１太陽電池および第２太陽電池全体として発電することが可能である。これに対し、４つのセルが互いに直列に接続されている場合、この４つのセルのいずれかが完全に遮光されると、遮光されたセルの電流が０となるため、この４つのセルは、ほとんど発電しなくなる。従って、以上の態様では、４つのセルが互いに直列に接続されている場合と比較して、発電効率の低下を抑制することが可能になる。
【００１１】
第３態様の好適例（第４態様）において、前記第１セルと前記第３セルとは、前記平面視において、前記表示部の６時位置および１２時位置を結ぶ直線で前記表示部を分割した第１領域と第２領域とのうち互いに異なる領域内に設けられ、前記第２セルと前記第４セルとは、前記平面視において、前記第１領域と前記第２領域とのうち互いに異なる領域内に設けられる。
【００１２】
以上の態様によれば、電子時計がユーザーの左腕に装着された場合には、第１領域または第２領域のうち前述の直線に対して３時方向に位置する領域内に設けられたセルによって、発電できる可能性を高くすることが可能になる。また、電子時計がユーザーの右腕に装着された場合には、第１領域または第２領域のうち前述の直線に対して９時方向に位置する領域内に設けられたセルによって、発電できる可能性を高くすることが可能になる。
【００１３】
第１態様から第４態様の好適例（第５態様）において、前記表示部は、時刻を表示する指針を有し、前記第１セルと前記第３セルとは、前記平面視において、前記指針の指針軸に対して点対称に設けられ、前記第２セルと前記第４セルとは、前記平面視において、前記指針の指針軸に対して点対称に設けられる。
【００１４】
通常、セルが遮光される場合、遮光される領域は離散的でなく、ユーザーの袖による遮光のように、連続的となることが多い。遮光される領域が連続的であるため、互いに電気的に並列に接続された２つのセルが、より離れていることにより、一方のセルが遮光されても他方のセルに入射されるため発電できる可能性を高くすることができる。以上の態様によれば、互いに電気的に並列に接続された第１セルと第３セルとが指針軸に対して点対称に設けられるため、点対称に設けられない場合と比較して、第１セルと第３セルとの距離が離れることになるため、発電できる可能性を高くすることができる。互いに電気的に並列に接続される第２セルおよび第４セルについても、第１セルおよび第３セルと同様に、発電できる可能性を高くすることができる。
【００１５】
第１態様から第４態様の好適例（第６態様）において、前記表示部は、時刻を表示する指針を有し、前記第１セルと前記第３セルとは、前記平面視において、前記表示部の６時位置および１２時位置を結ぶ直線に対して線対称に設けられ、前記第２セルと前記第４セルとは、前記平面視において、前記表示部の６時位置および１２時位置を結ぶ直線に対して線対称に設けられる。
【００１６】
以上の態様によれば、第４態様と同様に、発電できる可能性を高くすることが可能になる。さらに、第６態様は、第５態様と比較すると、互いに電気的に並列に接続された２つのセル同士の距離が全体的に短くなるため、配線が容易になる。
【００１７】
本発明の好適な態様（第７態様）に係る電子時計は、第１太陽電池および第２太陽電池と、平面視において、前記第１太陽電池および前記第２太陽電池と重なり、時刻を表示する指針を有する表示部と、を備え、前記平面視において、前記第１太陽電池または前記第２太陽電池のいずれかに含まれる複数のセルのうち前記指針の回転運動が可能な範囲と重ならないセルを第１セル、前記平面視において、前記複数のセルのうち前記範囲と重なるセルを第２セルとしたとき、前記平面視において、前記第１セルの面積は、前記第２セルと前記指針とが重なる面積が最も大きくなる最大面積を前記第２セルの面積から除いた面積以上、かつ、前記第２セルと前記指針とが重なる面積が最も小さくなる最小面積を前記第２セルの面積から除いた面積以下である。
【００１８】
互いに電気的に直列に接続された複数のセルの発電電流は、この複数のセルのうち最も発電電流が少ないセルの電流で制限されるため、この複数のセルの発電効率を向上させるには、複数のセルのそれぞれが受光する面積を同一にすることが好ましい。上述した態様では、第１セルの面積が、第２セルの遮光されない面積の変動範囲内にある。第１セルの面積が、第２セルの遮光されない面積の変動範囲外にある場合、第１セルまたは第２セルのうち、発電電流が少ないセルが、常にいずれか一方のセルとなり、他方のセルの発電の一部が常に無駄になってしまう。従って、上述した態様によれば、第１セルの面積が、第２セルの遮光されない面積の変動範囲外にある場合と比較して、発電効率の低下を抑制することが可能になる。
【００１９】
本発明の好適な態様（第８態様）に係る電子時計は、第１太陽電池および第２太陽電池と、平面視において、前記第１太陽電池および前記第２太陽電池と重なり、時刻を表示する指針を有する表示部と、を備え、前記平面視において、前記第１太陽電池または前記第２太陽電池のいずれかに含まれる複数のセルのうち前記指針と重なるセルを第２セル、前記平面視において、前記複数のセルのうち前記指針の指針軸に対して、前記第２セルより外側に配置され前記指針と重なるセルを第３セルとしたとき、前記平面視において、前記第３セルと前記指針とが重なる面積が最も大きくなる最大面積を前記第３セルの面積から除いた面積および前記第３セルと前記指針とが重なる面積が最も小さくなる最小面積を前記第３セルの面積から除いた面積は、前記第２セルと前記指針とが重なる面積が最も大きくなる最大面積を前記第２セルの面積から除いた面積以上、かつ、前記第２セルと前記指針とが重なる面積が最も小さくなる最小面積を前記第２セルの面積から除いた面積以下である。
【００２０】
上述した態様では、第３セルの遮光されない面積の変動範囲が、第２セルの遮光されない面積の変動範囲内にある。上述した態様によれば、第３セルの遮光されない面積の変動範囲が、第２セルの遮光されない面積の変動範囲外となる場合と比較して、第２セルの受光する面積と、第３セルの受光する面積とをより同一に近づけることができるため、発電効率の低下を抑制することが可能になる。
【００２１】
第１態様から第６態様の好適例（第９態様）において、前記表示部には、目盛りが設けられ、前記平面視において、前記第１太陽電池または前記第２太陽電池のいずれかに含まれる複数のセルのそれぞれの面積から、前記目盛りと重なる面積を除いた面積が互いに略等しい。
【００２２】
上述したように、互いに電気的に直列に接続された複数のセルの発電効率を向上させるには、複数のセルのそれぞれが受光する面積を同一にすることが好ましい。上述した態様によれば、複数のセルのそれぞれの面積から、目盛りと重なる面積を除いた面積が互いに略等しいため、目盛りと重なる面積を除いた面積が互いに異なる場合と比較して、発電効率を向上させることが可能になる。略等しいとは、完全に等しいのみでなく、所定値以内の差分があっても等しいとみなす。
【００２３】
本発明の好適な態様（第１０態様）に係る電子時計は、第１太陽電池および第２太陽電池と、前記第１太陽電池または前記第２太陽電池から供給される電力によって動作し、時刻を表示する表示部と、を備え、平面視において、前記表示部は前記第１太陽電池および前記第２太陽電池と重なり、前記第１太陽電池は、１つのセルで構成され、前記第２太陽電池は、互いに電気的に並列に接続された第２セルと第４セルとを有し、前記第１太陽電池と前記第２太陽電池とは、互いに電気的に直列に接続される。
【００２４】
以上の態様では、第２セルと第４セルとが、互いに電気的に並列に接続されているため、第２セルまたは第４セルの一方のセルが遮光されたとしても、光が入射された他方のセルによって電流が流れる。以上により、第１太陽電池に電流が流れていれば、第１太陽電池および第２太陽電池全体として発電することが可能である。これに対し、３つのセルが互いに直列に接続されている場合、この３つのセルのいずれかが完全に遮光されると、遮光されたセルの電流が０となるため、この３つのセルは、ほとんど発電しなくなる。従って、以上の態様では、３つのセルが互いに直列に接続されている場合と比較して、発電効率の低下を抑制することが可能になる。
【００２５】
第１態様から第１０態様の好適例（第１１態様）において、前記表示部と、前記第１太陽電池と、前記第２太陽電池とを収容する筐体を備える。
【００２６】
以上の態様によれば、発電効率の低下を抑制することが可能な第１太陽電池および第２太陽電池が収容された筐体を備える電子時計を提供することができる。
【図面の簡単な説明】
【００２７】
【図１】第１実施形態の電子時計Ｗを示す斜視図。
【図２】電子時計Ｗの構成図。
【図３】電子時計Ｗの構成を示す断面図。
【図４】第１態様における太陽電池モジュール８の平面図。
【図５】第１態様における太陽電池モジュール８の構成の一例を示す等価回路図。
【図６】第２態様における太陽電池モジュール８の平面図。
【図７】第２態様における太陽電池モジュール８の構成の一例を示す等価回路図。
【図８】第１参考例における太陽電池モジュール８の平面図。
【図９】第１参考例における太陽電池モジュール８の構成の一例を示す等価回路図。
【図１０】第１実施例における太陽電池モジュール８の平面図。
【図１１】第１実施例における太陽電池モジュール８の構成の一例を示す等価回路図。
【図１２】第２実施例における太陽電池モジュール８の平面図。
【図１３】第２実施例における太陽電池モジュール８の構成の一例を示す等価回路図。
【図１４】第３実施例における太陽電池モジュール８の平面図。
【図１５】第３実施例における太陽電池モジュール８の構成の一例を示す等価回路図。
【図１６】第３実施例の変形例における太陽電池モジュール８の平面図。
【図１７】第３実施例の変形例における太陽電池モジュール８の構成の一例を示す等価回路図。
【図１８】第２参考例における太陽電池モジュール８の平面図。
【図１９】第２参考例における太陽電池モジュール８の構成の一例を示す等価回路図。
【図２０】第４実施例における太陽電池モジュール８の平面図。
【図２１】第４実施例における太陽電池モジュール８の構成の一例を示す等価回路図。
【図２２】第５実施例における太陽電池モジュール８の平面図。
【図２３】第５実施例における太陽電池モジュール８の構成の一例を示す等価回路図。
【図２４】第３参考例における太陽電池モジュール８の平面図。
【図２５】第６実施例における太陽電池モジュール８の平面図。
【図２６】第２実施形態の電子時計Ｗの構成図。
【図２７】第２実施形態の電子時計Ｗの構成を示す断面図。
【図２８】第２実施形態の第１態様における太陽電池モジュール８の平面図。
【図２９】第２実施形態の第２態様における太陽電池モジュール８の平面図。
【図３０】第２実施形態の第１参考例における太陽電池モジュール８の平面図。
【図３１】第２実施形態の第１実施例における太陽電池モジュール８の平面図。
【図３２】第３実施形態の電子時計Ｗの構成図。
【図３３】第３実施形態の電子時計Ｗの平面図。
【図３４】時針１１または分針１２とセル８１＿１とが重なる面積が最も大きい場合を示す図。
【図３５】時針１１または分針１２とセル８１＿１とが重なる面積が最も小さい場合を示す図。
【図３６】第３実施形態の第１実施例における太陽電池モジュール８の平面図。
【図３７】第１変形例における電子時計Ｗの平面図。
【発明を実施するための形態】
【００２８】
以下、本発明を実施するための形態について図面を参照して説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２９】
Ａ．第１実施形態
以下、第１実施形態における電子時計Ｗを説明する。
【００３０】
Ａ．１．第１実施形態における電子時計Ｗの概要
図１に、第１実施形態における電子時計Ｗを示す斜視図を示す。電子時計Ｗは、竜頭Ａと、第２バンド部Ｆと、第１バンド部Ｇと、表示部１０とを有する。図１に示すように、電子時計Ｗは、時間を計測するアナログ時計である。
【００３１】
図１において、表示部１０の表示面における裏面から表面へと向かう方向をＺ軸正方向とする。そして、Ｚ軸に直交する２軸をＸＹ軸とし、表示部１０の中心から竜頭Ａへの方向をＸ軸正方向とする。あるいは、表示部１０の表示面の法線方向をＺ軸とし、表示面の中心から第２バンド部Ｆまたは第１バンド部Ｇへの方向をＹ軸、Ｚ軸およびＹ軸と直交する軸をＸ軸とすることもできる。第２バンド部Ｆから第１バンド部Ｇに向かう方向、すなわち、Ｙ軸正方向を、「１２時方向」と定義する。従って、例えば、Ｙ軸負方向が「６時方向」となり、Ｘ軸正方向が「３時方向」となる。説明の簡略化のため、Ｚ軸正方向側を「表側」と称し、Ｚ軸負方向側を「裏側」と称する。
【００３２】
竜頭Ａは、回転および引き出しが可能な部材である。第２バンド部Ｆおよび第１バンド部Ｇは、電子時計Ｗをユーザーの手首に装着するための部材である。
【００３３】
表示部１０は、時針１１と、分針１２と、秒針１３と、文字板１５（図３参照）を含む。文字板１５には、目盛り１６が設けられる。表示部１０は、目盛り１６を基準にして、時針１１、分針１２、および秒針１３を用いて、現在時刻の時、分、および秒を表示する。時針１１、分針１２、および秒針１３は、「時刻を表示する指針」の例である。以下、単に、「指針」と記載した場合、時針１１、分針１２、および秒針１３の総称とする。
【００３４】
図２に、電子時計Ｗの構成図を示す。図２において、図１に示した構成と同一構成のものには同一符号を付してある。
【００３５】
電子時計Ｗは、表示部１０に関する構成として、時針１１、分針１２、秒針１３、および、ムーブメント２０を含む。ムーブメント２０は、輪列機構２０１および輪列機構２０２、ステッピングモーター２１１およびステッピングモーター２１２、ならびに、モータードライバー２２１およびモータードライバー２２２を含む。モータードライバー２２１は、輪列機構２０１を介して時針１１と分針１２とを駆動するためにステッピングモーター２１１を駆動する。モータードライバー２２２は、輪列機構２０２を介して秒針１３を駆動するためにステッピングモーター２１２を駆動する。
【００３６】
電子時計Ｗは、さらに、発振回路１と、記憶部４と、制御部６と、竜頭Ａとを含む。
【００３７】
発振回路１は、時刻を計時するために用いられるクロック信号を生成する。クロック信号の周波数は、例えば、３２．７６８ｋＨｚである。クロック信号の周波数が分周されて、周波数が１Ｈｚとなったクロック信号が、制御部６に入力される。
【００３８】
記憶部４は、読み書き可能な不揮発性の記録媒体である。記憶部４は、例えば、フラッシュメモリーである。記憶部４は、フラッシュメモリーに限らず適宜変更可能である。記憶部４は、例えば、制御部６が実行するプログラムを記憶する。
【００３９】
制御部６は、例えば、ＣＰＵ（Central Processing Unit）等のコンピューターである。制御部６は、電子時計Ｗの全体の制御を司る。
【００４０】
図３に、電子時計Ｗの構成を示す断面図を示す。図３に示す断面図は、図１に示すIII−III線の断面図である。ただし、図３に示す断面図では、図示を容易にするために、時針１１、分針１２、および秒針１３の向きを、１２時方向としている。図３に示すように、電子時計Ｗは、図１で示した部材およびデバイスに加えて、筐体３１と、透光性部材３２と、ベゼル３３と、二次電池３４と、回路基板３５と、太陽電池モジュール８とを含む。
【００４１】
＜筐体＞
筐体３１は、表示部１０、太陽電池モジュール８、ムーブメント２０、回路基板３５、二次電池３４、および、制御部６を収容する。さらに、筐体３１は、側面部３１２、および底面部３１１を含む。
【００４２】
側面部３１２の表面側の部分には、Ｚ軸正方向に向かって突出した突条部３１２１が形成される。突条部３１２１は、太陽電池モジュール８の厚さ方向から表示部１０を見た平面視で円環状をなしており、透光性部材３２を支持するために用いられる。以下、単に「平面視」と記載した場合、太陽電池モジュール８の厚さ方向、すなわち、Ｚ軸正方向からの平面視であるとする。なお、太陽電池モジュール８の厚さ方向とは、太陽電池モジュール８の面のうち、光が入射される側の面に対して垂直な方向、すなわち、Ｚ軸正方向である。
【００４３】
＜透光性部材＞
透光性部材３２は、筐体３１に対してパッキン等によって形成された円環状のシール部材３２１を介して接続される。透光性部材３２は、外部から筐体３１の内部への埃等の侵入を防ぐ風防性を有するとともに、外部から内部を視認し得る透過性を有する。また、透光性部材３２は、外部の光を内部に入射させることが可能な透光性を有する。透光性部材３２の構成材料としては、例えば、ガラス、アクリル樹脂、またはポリカーボネート等を用いることができる。
【００４４】
＜ベゼル＞
ベゼル３３は、円環状をなしており、突条部３１２１に嵌合する。ベゼル３３は、透光性部材３２を側面部３１２に対して固定するための固定部材である。具体的には、ベゼル３３の裏面側の内径は、突条部３１２１の外径とほぼ同等の寸法で形成されており、突条部３１２１が外周側に向かって変形することを抑制する。これにより、透光性部材３２を筐体３１に対して安定して固定することができる。
【００４５】
＜二次電池＞
二次電池３４は、回路基板３５の裏側に設けられる。二次電池３４は、回路基板３５に配置された制御部６等に電力を供給する。二次電池３４の具体例としては、例えば、リチウムイオン二次電池等が挙げられる。
【００４６】
＜回路基板＞
回路基板３５は、表示部１０に対してほぼ平行に設けられる。回路基板３５の面上には、回路部品として、例えば、制御部６等が配置される。回路基板３５には、制御部６以外の回路部品も配置されるが、図面の煩雑化を避けるために、図３では、制御部６のみを描画する。制御部６は、シールド板３５１に覆われており、二次電池３４から供給される電力で駆動される。
【００４７】
＜表示部＞
表示部１０は、図１でも示したように、時針１１と、分針１２と、秒針１３と、文字板１５を含む。文字板１５は、透光性部材３２から入射された光を、太陽電池モジュール８に入射させることが可能な透光性を有する。これにより、太陽電池モジュール８に、光が入射される。表示部１０は、平面視において、太陽電池モジュール８と重なる。本実施形態において「重なる」とは、全部が重なることも含むし、一部が重なることも含む。さらに、表示部１０は、時針１１、分針１２、および秒針１３の指針軸１４を含む。時針１１は、ムーブメント２０内の輪列機構２０１および指針軸１４を介して駆動される。分針１２は、輪列機構２０１および指針軸１４を介して駆動される。秒針１３は、ムーブメント２０内の輪列機構２０２および指針軸１４を介して駆動される。
【００４８】
＜太陽電池モジュール＞
太陽電池モジュール８は、太陽等の光のエネルギーに基づいて発電する。太陽電池モジュール８は、複数の太陽電池８０（図４参照）を有する。時針１１、分針１２、および秒針１３は、太陽電池モジュール８から供給される電力によって動作可能である。太陽電池モジュール８に関して、例えば、下記に示す２つの態様がある。第１の態様と第２の態様ともに、太陽電池モジュール８を分割したセル８１（図４参照）をｎ×ｍ個設ける。ｎおよびｍは、本実施形態において、２以上の整数である。ｎとｍとは、互いに同一の値でもよいし、互いに異なる値でもよい。以下、ｎを「直列数」と称し、ｍを「並列数」と称する。太陽電池モジュール８の電圧は、セル８１の電圧×直列数ｎである。直列数ｎは、二次電池３４の電圧との兼ね合いにより決定される値である。以下に示す例では、説明の簡略化のため、直列数ｎ＝２とする。また、説明の簡略化のため、並列数ｍ＝２とする。
【００４９】
図４および図５を用いて、第１態様における太陽電池モジュール８について説明し、図６および図７を用いて、第２態様における太陽電池モジュール８について説明する。
【００５０】
図４に、第１態様における太陽電池モジュール８の平面図を示す。図５に、第１態様における太陽電池モジュール８の構成の一例を示す等価回路図を示す。図４に示す平面図は、説明の簡略化のため、太陽電池モジュール８のみを示す。
【００５１】
第１態様における太陽電池モジュール８は、並列数ｍ個の互いに電気的に並列に接続された太陽電池８０を有する。このｍ個の太陽電池８０は、それぞれ、直列数ｎ個の互いに電気的に直列に接続されたセル８１を有する。
【００５２】
図４に示す太陽電池モジュール８は、太陽電池８０＿ａおよび太陽電池８０＿ｂを含む。太陽電池８０＿ａは、セル８１＿１ａとセル８１＿２ａとを含む。太陽電池８０＿ｂは、セル８１＿３ｂとセル８１＿４ｂとを含む。セル８１は、発電機能を有する最小単位を１以上含む。
【００５３】
第１態様における太陽電池モジュール８において、太陽電池８０＿ａが、「第１太陽電池」の例である。太陽電池８０＿ｂが、「第２太陽電池」の例である。セル８１＿１ａは、「第１セル」の例である。セル８１＿２ａは、「第２セル」の例である。セル８１＿３ｂは、「第３セル」の例である。セル８１＿４ｂは、「第４セル」の例である。
【００５４】
以下の説明では、同種の要素を区別する場合には、太陽電池８０＿ａ、太陽電池８０＿ｂ、セル８１＿１ａ、セル８１＿２ａのように参照符号を使用する。一方、同種の要素を区別しない場合には、太陽電池８０、セル８１のように、参照符号のうちの共通番号だけを使用する。
【００５５】
図５に示すように、セル８１＿１ａとセル８１＿２ａとは、互いに電気的に直列に接続される。同様に、セル８１＿３ｂとセル８１＿４ｂとは、互いに電気的に直列に接続される。太陽電池８０＿ａと太陽電池８０＿ｂとは、互いに電気的に並列に接続される。ノード８４＿１およびノード８４＿２は、二次電池３４に電気的に接続される。
【００５６】
図４に示すように、セル８１＿１ａ、セル８１＿２ａ、セル８１＿３ｂ、およびセル８１＿４ｂは、中心角が９０度の扇状である。太陽電池モジュール８の中心には、指針軸１４を貫通させるための孔８２が設けられる。図４では、指針軸１４の輪郭を、破線で示す。
【００５７】
図６に、第２態様における太陽電池モジュール８の平面図を示す。図７に、第２態様における太陽電池モジュール８の構成の一例を示す等価回路図を示す。図６に示す平面図は、説明の簡略化のため、太陽電池モジュール８のみを示す。
【００５８】
第２態様における太陽電池モジュール８は、直列数ｎ個の互いに電気的に直列に接続された太陽電池８０を有する。このｎ個の太陽電池８０は、それぞれ、並列数ｍ個の互いに電気的に並列に接続されたセル８１を有する。
【００５９】
図６に示す太陽電池モジュール８は、太陽電池８０＿ａおよび太陽電池８０＿ｂを含む。太陽電池８０＿ａは、セル８１＿１ａとセル８１＿３ａとを含む。太陽電池８０＿ｂは、セル８１＿２ｂとセル８１＿４ｂとを含む。
【００６０】
第２態様における太陽電池モジュール８において、太陽電池８０＿ａが、「第１太陽電池」の例である。太陽電池８０＿ｂが、「第２太陽電池」の例である。セル８１＿１ａは、「第１セル」の例である。セル８１＿２ｂは、「第２セル」の例である。セル８１＿３ａは、「第３セル」の例である。セル８１＿４ｂは、「第４セル」の例である。
【００６１】
図７に示すように、セル８１＿１ａとセル８１＿３ａとは、互いに電気的に並列に接続される。同様に、セル８１＿２ｂとセル８１＿４ｂとは、互いに電気的に並列に接続される。太陽電池８０＿ａと太陽電池８０＿ｂとは、互いに電気的に直列に接続される。太陽電池モジュール８の中心には、指針軸１４を貫通させるための孔８２が設けられる。図６では、指針軸１４の輪郭を、破線で示す。
【００６２】
Ａ．２．第１実施形態の効果
以上示したように、第１態様における太陽電池モジュール８は、互いに電気的に並列に接続された太陽電池８０＿ａと太陽電池８０＿ｂとを含む構成である。太陽電池８０＿ａは、互いに電気的に直列に接続されるセル８１＿１ａとセル８１＿２ａとを含む。太陽電池８０＿ｂは、互いに電気的に直列に接続されるセル８１＿３ｂとセル８１＿４ｂとを含む。この構成では、太陽電池８０＿ａおよび太陽電池８０＿ｂが、互いに電気的に並列に接続されているため、太陽電池８０＿ａまたは太陽電池８０＿ｂの一方の太陽電池８０が遮光されたとしても、光が入射された他方の太陽電池８０によって電流が流れる。従って、太陽電池モジュール８全体として発電することが可能である。これに対し、４つのセル８１が互いに直列に接続されている場合、この４つのセル８１のいずれかが完全に遮光されると、遮光されたセル８１の電流が０となるため、この４つのセル８１は、ほとんど発電しなくなる。従って、第１態様における太陽電池モジュール８は、４つのセル８１が互いに直列に接続されている場合と比較して、発電効率の低下を抑制することが可能である。
【００６３】
また、第１態様における太陽電池モジュール８において、図４に示すように、太陽電池８０＿ａと太陽電池８０＿ｂとは、平面視において、仮想直線Ｌ１で表示部１０を分割した第１領域Ｒ１と第２領域Ｒ２とのうち互いに異なる領域内に設けられる。図４の例では、仮想直線Ｌ１に対して９時方向に第１領域Ｒ１があり、仮想直線Ｌ１に対して３時方向に第２領域Ｒ２がある。仮想直線Ｌ１は、６時位置および１２時位置を結ぶ仮想的な直線である。なお、仮想直線Ｌ１の替わりに、セル８１＿１ａ、セル８１＿２ａ、セル８１＿３ｂ、およびセル８１＿４ｂによって形成される、６時位置および１２時位置を結ぶ分割線で、表示部１０を分割してもよい。
電子時計Ｗは、ユーザーの腕に装着される。左腕に電子時計Ｗが装着された場合には、太陽電池モジュール８に含まれる複数のセル８１のうち、９時方向に設けられたセル８１が、ユーザーの袖等によって遮光されやすい。同様に、ユーザーの右腕に装着された場合には、複数のセル８１のうち、３時方向に設けられたセル８１が、ユーザーの袖等によって遮光されやすい。従って、第１態様における太陽電池モジュール８によれば、電子時計Ｗがユーザーの左腕に装着された場合には、第２領域Ｒ２内に設けられた太陽電池８０＿ｂによって、発電できる可能性を高くすることが可能になる。また、電子時計Ｗがユーザーの右腕に装着された場合には、第１領域Ｒ１内に設けられた太陽電池８０＿ａによって、発電できる可能性を高くすることが可能になる。
【００６４】
第２態様における太陽電池モジュール８は、互いに電気的に直列に接続された太陽電池８０＿ａと太陽電池８０＿ｂとを含む構成である。太陽電池８０＿ａは、互いに電気的に並列に接続されるセル８１＿１ａとセル８１＿３ａとを含む。太陽電池８０＿ｂは、互いに電気的に並列に接続されるセル８１＿２ｂとセル８１＿４ｂとを含む。
この構成では、セル８１＿１ａとセル８１＿３ａとが、互いに電気的に並列に接続されているため、セル８１＿１ａまたはセル８１＿３ａの一方のセル８１が遮光されたとしても、光が入射された他方のセル８１によって電流が流れる。同様に、セル８１＿２ｂとセル８１＿４ｂとが、互いに電気的に並列に接続されているため、セル８１＿２ｂまたはセル８１＿４ｂの一方のセル８１が遮光されたとしても、光が入射された他方のセル８１によって電流が流れる。以上により、太陽電池８０＿ａおよび太陽電池８０＿ｂのいずれも電流が流れるため、太陽電池モジュール８全体として発電することが可能である。従って、第２態様における太陽電池モジュール８も、第１態様における太陽電池モジュール８と同様に、４つのセル８１が互いに直列に接続されている場合と比較して、発電効率の低下を抑制することが可能である。
第１態様における太陽電池モジュール８と第２態様における太陽電池モジュール８とを比較すると、発電効率は同一であるが、第１態様における太陽電池モジュール８の方が、配線が容易である。第１態様における太陽電池モジュール８では、隣り合うセル８１同士を電気的に接続すればよく配線が容易であるが、第２態様における太陽電池モジュール８では、離れたセル８１同士を電気的に接続するため、配線が煩雑となる。
【００６５】
また、第２態様における太陽電池モジュール８において、図６に示すように、セル８１＿１ａとセル８１＿３ａとは、平面視において、仮想直線Ｌ１で表示部１０を分割した第１領域Ｒ１と第２領域Ｒ２とのうち互いに異なる領域内に設けられる。さらに、セル８１＿２ｂとセル８１＿４ｂとは、平面視において、第１領域Ｒ１と第２領域Ｒ２とのうち互いに異なる領域内に設けられる。図６の例では、セル８１＿１ａおよびセル８１＿２ｂが第１領域Ｒ１内に設けられ、セル８１＿３ａおよびセル８１＿４ｂが第２領域Ｒ２内に設けられる。
第２態様における太陽電池モジュール８によれば、電子時計Ｗがユーザーの左腕に装着された場合には、第２領域Ｒ２内に設けられたセル８１＿３ａによって、発電できる可能性を高くすることが可能になる。また、電子時計Ｗがユーザーの右腕に装着された場合には、第１領域Ｒ１内に設けられたセル８１＿１ａによって、発電できる可能性を高くすることが可能になる。従って、太陽電池８０＿ａは、電子時計Ｗがユーザーの左腕または右腕のいずれに装着されたとしても、発電できる可能性を高くすることが可能になる。太陽電池８０＿ｂも、太陽電池８０＿ａと同様に、発電できる可能性を高くすることが可能になる。以上により、太陽電池モジュール８全体が、発電できる可能性を高くすることが可能になる。
【００６６】
第１態様における太陽電池モジュール８において、セル８１＿１ａとセル８１＿３ｂとは、平面視において、指針軸１４に対して点対称に設けられ、セル８１＿２ａとセル８１＿４ｂとは、平面視において、指針軸１４に対して点対称に設けられる。
通常、太陽電池モジュール８が遮光される場合、遮光される領域は離散的でなく、ユーザーの袖による遮光のように、連続的となることが多い。遮光される領域が連続的であるため、互いに電気的に並列に接続された２つのセル８１が、より離れていることにより、一方のセル８１が遮光されても他方のセル８１に入射されるため発電できる可能性を高くすることができる。セル８１＿１ａとセル８１＿３ｂとは、互いに電気的に並列に接続されている。セル８１＿１ａは太陽電池８０＿ａに含まれており、セル８１＿３ｂは太陽電池８０＿ｂに含まれており、太陽電池８０＿ａと太陽電池８０＿ｂとは互いに電気的に並列に接続されているためである。従って、第１態様における太陽電池モジュール８は、セル８１＿１ａとセル８１＿３ｂとが点対称に設けられない場合と比較して、セル８１＿１ａとセル８１＿３ｂとの距離が離れることになるため、発電できる可能性を高くすることができる。互いに電気的に並列に接続されるセル８１＿２ａとセル８１＿４ｂとについても、セル８１＿１ａとセル８１＿３ｂとの関係と同様に、発電できる可能性を高くすることができる。
【００６７】
第２態様における太陽電池モジュール８において、セル８１＿１ａとセル８１＿３ａとは、平面視において、指針軸１４に対して点対称に設けられ、セル８１＿２ｂとセル８１＿４ｂとは、平面視において、指針軸１４に対して点対称に設けられる。
セル８１＿１ａとセル８１＿３ａとは、互いに電気的に並列に接続されている。第２態様における太陽電池モジュール８は、セル８１＿１ａとセル８１＿３ａとが点対称に設けられない場合と比較して、セル８１＿１ａとセル８１＿３ａとの距離が離れることになるため、発電できる可能性を高くすることができる。互いに電気的に並列に接続されるセル８１＿２ｂとセル８１＿４ｂとについても、セル８１＿１ａとセル８１＿３ａとの関係と同様に、発電できる可能性を高くすることができる。
【００６８】
また、第１実施形態において、平面視において、太陽電池モジュール８に含まれる複数のセル８１のそれぞれの面積から、目盛り１６と重なる面積を除いた面積が互いに略等しい。
互いに電気的に直列に接続された複数のセル８１の発電電流は、複数のセル８１のうち最も発電電流が少ないセル８１の電流で制限されるため、複数のセル８１の発電効率を向上させるには、複数のセル８１のそれぞれが受光する面積を同一にすることが好ましい。第１実施形態によれば、複数のセル８１のそれぞれの面積から、目盛り１６と重なる面積を除いた面積が互いに略等しいため、目盛り１６と重なる面積を除いた面積が互いに異なる場合と比較して、発電効率を向上させることが可能になる。略等しいとは、完全に等しいのみでなく、所定値以内の差分があっても等しいとみなす。所定値は、例えば、表示部１０の面積に１％または２％等の数％を乗じた値である。
【００６９】
また、上述したように、電子時計Ｗは、表示部１０と、太陽電池モジュール８とを収容する筐体３１を含む。このように、第１実施形態では、発電効率の低下を抑制することが可能な太陽電池モジュール８が収容された筐体３１を備える電子時計Ｗを提供することが可能になる。
【００７０】
Ａ．３．実施例
以下、第１実施形態の実施例を示すが、本発明は以下の例により限定されるものではない。上述した例では、直列数ｎおよび並列数ｍは２であったが、３以上でもよい。ｎまたはｍが３以上の場合の実施例について、参考例とともに説明する。
【００７１】
第１参考例、第１実施例、第２実施例、および第３実施例は、直列数ｎが３である場合の例である。直列数ｎが３となる場合は、例えば、セル８１の電圧が０．５〜０．７Ｖ程度であり、二次電池３４が、公称電圧が１．５Ｖのチタンリチウム二次電池を採用する場合である。第２参考例、第４実施例、第５実施例、および第６実施例は、直列数ｎが４である場合の例である。第３参考例および第６実施例は、直列数ｎが６である場合の例である。第１参考例、第２参考例、および、第３参考例は、並列に接続されたセル８１が存在しない場合の例である。並列に接続されたセル８１が存在しないとは、並列数ｍが１となることを示す。
【００７２】
Ａ．３．１．第１参考例
図８に、第１参考例における太陽電池モジュール８の平面図を示す。図９に、第１参考例における太陽電池モジュール８の構成の一例を示す等価回路図を示す。第１参考例は、第１態様における太陽電池モジュール８について、直列数ｎが３であり、並列数ｍが１である場合の例である。太陽電池モジュール８は、互いに電気的に直列に接続されたセル８１＿１と、セル８１＿２と、セル８１＿３とを有する。図１０に示すように、セル８１＿１、セル８１＿２、およびセル８１＿３は、中心角が１２０度の扇状である。
【００７３】
Ａ．３．２．第１実施例
図１０に、第１実施例における太陽電池モジュール８の平面図を示す。図１１に、第１実施例における太陽電池モジュール８の構成の一例を示す等価回路図を示す。第１実施例は、第１態様における太陽電池モジュール８について、直列数ｎが３であり、並列数ｍが２である場合の例である。第１実施例のように、直列数ｎが奇数の場合、並列数ｍが偶数になるようにし、仮想直線Ｌ１に対して、９時方向に位置する第１領域Ｒ１内に太陽電池８０＿ａを設け、および、３時方向に位置する第２領域Ｒ２内に太陽電池８０＿ｂが設けられることが好ましい。直列数ｎが３であるから、太陽電池８０＿ａは、互いに電気的に直列に接続されたセル８１＿１ａと、セル８１＿２ａと、セル８１＿３ａとを有する。同様に、太陽電池８０＿ｂは、互いに電気的に直列に接続されたセル８１＿１ｂと、セル８１＿２ｂと、セル８１＿３ｂとを有する。
【００７４】
第１実施例における太陽電池モジュール８において、セル８１＿１ａは、「第１セル」の例である。セル８１＿２ａは、「第２セル」の例である。セル８１＿３ｂは、「第３セル」の例である。セル８１＿２ｂは、「第４セル」の例である。または、セル８１＿２ａの代わりに、セル８１＿３ａを「第２セル」の例とし、セル８１＿３ｂの代わりに、セル８１＿１ｂを「第３セル」の例とすることも可能である。
【００７５】
第１参考例および第１実施例について、太陽電池モジュール８の一部が遮光される場合の発電量について説明する。電子時計Ｗは、ユーザーの左腕に装着される可能性が高い。従って、太陽電池モジュール８のＹ軸負方向側がユーザーの袖等によって遮光されやすい。第１参考例および第１実施例において、太陽電池モジュール８の領域のうち、仮想直線Ｌ１に対して９時方向側の全ての領域が遮光されたとする。太陽電池モジュール８の半分の領域が遮光されたため、太陽電池モジュール８の発電量が、遮光されない場合と比較して、１／２倍に近いほど好ましい。
【００７６】
第１参考例では、セル８１＿１およびセル８１＿２の発電量が１／３となるため、太陽電池モジュール８全体としては、遮光されない場合と比較して、１／３倍となる。
これに対し、第１実施例では、遮光された領域の発電量を０とみなすと、セル８１＿１ａ、セル８１＿２ａ、および、セル８１＿３ａが全て遮光されるため、これらのセル８１の発電量は、０となる。一方、セル８１＿１ｂ、セル８１＿２ｂ、および、セル８１＿３ｂは、遮光されないため、発電量が最大となる。太陽電池モジュール８全体の発電量は、遮光されない場合と比較して、１／２倍となる。
このように、第１実施例における太陽電池モジュール８は、第１参考例と比較して発電量が向上する。
【００７７】
Ａ．３．３．第２実施例
図１２に、第２実施例における太陽電池モジュール８の平面図を示す。図１３に、第２実施例における太陽電池モジュール８の構成の一例を示す等価回路図を示す。第２実施例は、第１態様における太陽電池モジュール８について、直列数ｎが３であり、並列数ｍが３である場合の例である。並列数ｍが３であるから、太陽電池モジュール８は、互いに電気的に並列に接続された太陽電池８０＿ａと、太陽電池８０＿ｂと、太陽電池８０＿ｃとを有する。直列数ｎが３であるから、太陽電池８０＿ａは、互いに電気的に直列に接続されたセル８１＿１ａと、セル８１＿２ａと、セル８１＿３ａとを有する。同様に、太陽電池８０＿ｂは、互いに電気的に直列に接続されたセル８１＿１ｂと、セル８１＿２ｂと、セル８１＿３ｂとを有する。同様に、太陽電池８０＿ｃは、互いに電気的に直列に接続されたセル８１＿１ｃと、セル８１＿２ｃと、セル８１＿３ｃとを有する。図１２に示すように、セル８１＿１ａ、セル８１＿２ａ、セル８１＿３ａ、セル８１＿１ｂ、セル８１＿２ｂ、セル８１＿３ｂ、セル８１＿１ｃ、セル８１＿２ｃ、およびセル８１＿３ｃは、中心角が４０度の扇状である。
【００７８】
第２実施例および第１参考例について、太陽電池モジュール８の一部が遮光される場合の発電量について説明する。第２実施例および第１参考例において、太陽電池モジュール８の領域のうち、仮想直線Ｌ２に対して９時方向側の全ての領域が遮光されたとする。仮想直線Ｌ２は、１時位置および５時位置を結ぶ直線である。仮想直線Ｌ２のＸ座標は、太陽電池モジュール８の中心を原点とすると、原点と３時位置との中点のＸ座標となる。太陽電池モジュール８の半径をｒとすると、遮光される領域ＳＲは下記（１）式で求められる。
【００７９】
ＳＲ＝ｒ２π×（２４０／３６０）＋０．５ｒ×（０．５×√３）  （１）
【００８０】
上述した（１）式を算出すると、ＳＲ≒０．８０ｒ２πとなる。すなわち、太陽電池モジュール８のおよそ８０％の領域が遮光される。第２実施例では、遮光された領域の発電量を０とみなすと、セル８１＿１ａ、セル８１＿２ａ、セル８１＿３ａ、セル８１＿１ｂ、セル８１＿２ｂ、および、セル８１＿３ｂが全て遮光されるため、これらのセル８１の発電量は、０となる。セル８１＿１ｃ、セル８１＿２ｃ、および、セル８１＿３ｃの一部が遮光されるが、遮光されない領域もあるため、第２実施例における太陽電池モジュール８は、発電が可能である。
これに対し、第１参考例では、セル８１＿１およびセル８１＿２が全て遮光されるため、太陽電池モジュール８全体の発電量は、０となる。このように、第２実施例における太陽電池モジュール８は、第１参考例と比較して発電量が向上する。
【００８１】
Ａ．３．４．第３実施例
図１４に、第３実施例における太陽電池モジュール８の平面図を示す。図１５に、第３実施例における太陽電池モジュール８の構成の一例を示す等価回路図を示す。第３実施例は、第２態様における太陽電池モジュール８について、直列数ｎが３であり、並列数ｍが２である場合の例である。直列数ｎが３であるから、太陽電池モジュール８は、互いに電気的に直列に接続された太陽電池８０＿ａと、太陽電池８０＿ｂと、太陽電池８０＿ｃとを有する。並列数ｍが２であるから、太陽電池８０＿ａは、互いに電気的に並列に接続されたセル８１＿１ａと、セル８１＿４ａとを有する。同様に、太陽電池８０＿ｂは、互いに電気的に並列に接続されたセル８１＿２ｂと、セル８１＿５ｂとを有する。同様に、太陽電池８０＿ｃは、互いに電気的に並列に接続されたセル８１＿３ｃと、セル８１＿６ｃとを有する。
【００８２】
第３実施例における太陽電池モジュール８において、セル８１＿１ａは、「第１セル」の例である。セル８１＿２ｂは、「第２セル」の例である。セル８１＿４ａは、「第３セル」の例である。セル８１＿５ｂは、「第４セル」の例である。または、セル８１＿２ｂの代わりに、セル８１＿３ｃを「第２セル」の例とし、セル８１＿５ｂの代わりに、セル８１＿６ｃを「第３セル」の例とすることも可能である。
【００８３】
第３実施例および第１参考例について、太陽電池モジュール８の一部が遮光される場合の発電量について説明する。第３実施例および第１参考例において、太陽電池モジュール８の領域のうち、仮想直線Ｌ１に対して９時方向側の全ての領域が遮光されたとする。第３実施例では、遮光された領域の発電量を０とみなすと、セル８１＿１ａ、セル８１＿２ｂ、および、セル８１＿３ｃが全て遮光されるため、これらのセル８１の発電量は、０となる。一方、セル８１＿４ａ、セル８１＿５ｂ、および、セル８１＿６ｃは、遮光されないため、発電量が最大となる。太陽電池モジュール８全体の発電量は、遮光されない場合と比較して、１／２倍となる。
これに対し、第１参考例では、上述したように、太陽電池モジュール８全体としては、遮光されない場合と比較して、１／３倍となる。このように、第３実施例における太陽電池モジュール８は、第１参考例と比較して発電量が向上する。
【００８４】
なお、第３実施例において、セル８１＿４ａとセル８１＿６ｃとの位置を入れ替えることにより、セル８１＿１ａとセル８１＿４ａとを仮想直線Ｌ１に対して線対称に配置し、セル８１＿２ｂとセル８１＿５ｂとを仮想直線Ｌ１に対して線対称に配置し、セル８１＿３ｃとセル８１＿６ｃとを仮想直線Ｌ１に対して線対称に配置することができる。
このような配置とすることにより、第３実施例における効果とともに、セル８１＿１ａとセル８１＿４ａとを指針軸１４に対して点対称に配置する場合と比較して、隣り合うセル８１同士を電気的に接続すればよいので、配線が容易になる。
【００８５】
互いに電気的に並列に接続されたセル８１同士を、仮想直線Ｌ１に対して線対称に配置する場合の配線と、点対称に配置する場合の配線とについて、より一般化した状態で説明する。線対称に配置した場合、点対称に配置した場合と比較して、互いに電気的に並列に接続されたセル８１同士の距離が全体的に短くなるため、配線が容易になる。
【００８６】
また、セル８１＿１ａとセル８１＿４ａとを仮想直線Ｌ１に対して線対称に配置し、セル８１＿２ｂとセル８１＿５ｂとを仮想直線Ｌ１に対して線対称に配置し、セル８１＿３ｃとセル８１＿６ｃとを仮想直線Ｌ１に対して線対称に配置する場合において、セル８１＿１ａとセル８１＿４ａとを１つのセル８１ａとし、セル８１＿３ｃとセル８１＿６ｃとを１つのセル８１ｃとすることができる。換言すると、セル８１＿２ｂとセル８１＿５ｂとの２つのセルが仮想直線Ｌ１に対して線対称に配置されるとともに電気的に並列に接続され、セル８１ａとセル８１ｃとが太陽電池８０＿ｂに対して電気的に直列に接続されている。この場合、セル８１ａを「第１太陽電池」の例とし、セル８１＿ｂを「第２太陽電池」の例とする。この接続の例について、図１６および図１７を用いて示す。
【００８７】
図１６に、第３実施例の変形例における太陽電池モジュール８の平面図を示す。図１７に、第３実施例の変形例における太陽電池モジュール８の構成の一例を示す等価回路図を示す。図１６に示すように、互いに電気的に並列に接続されたセル８１同士のうち、仮想直線Ｌ１を介して隣り合うセル８１同士を１つのセル８１とみなしている。
【００８８】
図１６に示すような配置とすることにより、第３実施例における効果とともに、セル８１＿１ａとセル８１＿４ａとを指針軸１４に対して点対称に配置する場合と比較して、隣り合うセル８１同士を電気的に接続すればよいので、配線が容易になる。
【００８９】
第３実施例の変形例のセル８１の面積について、セル８１＿２ｂとセル８１＿５ｂとのそれぞれの面積から、目盛り１６と重なる面積を除いた第１面積が互いに略等しい。同様に、セル８１ａとセル８１ｃとのそれぞれの面積から、目盛り１６と重なる面積を除いた第２面積が互いに略等しい。そして、第１面積は、第２面積の略半分である。このような面積の関係とすることにより、太陽電池８０＿ａ、太陽電池８０＿ｂ、太陽電池８０＿ｃのそれぞれが受光する面積を略同一にすることができるため、発電効率を向上させることが可能になる。
【００９０】
Ａ．３．５．第２参考例
図１８に、第２参考例における太陽電池モジュール８の平面図を示す。図１９に、第２参考例における太陽電池モジュール８の構成の一例を示す等価回路図を示す。第２参考例は、第１態様における太陽電池モジュール８について、直列数ｎが４であり、並列数ｍが１である場合の例である。太陽電池モジュール８は、互いに電気的に直列に接続されたセル８１＿１と、セル８１＿２と、セル８１＿３と、セル８１＿４とを有する。
【００９１】
Ａ．３．６．第４実施例
図２０に、第４実施例における太陽電池モジュール８の平面図を示す。図２１に、第４実施例における太陽電池モジュール８の構成の一例を示す等価回路図を示す。第２実施例は、第１態様における太陽電池モジュール８について、直列数ｎが４であり、並列数ｍが２である場合の例である。並列数ｍが２であるから、太陽電池モジュール８は、互いに電気的に並列に接続された太陽電池８０＿ａと、太陽電池８０＿ｂとを有する。直列数ｎが４であるから、太陽電池８０＿ａは、互いに電気的に直列に接続されたセル８１＿１ａと、セル８１＿２ａと、セル８１＿３ａと、セル８１＿４ａとを有する。同様に、太陽電池８０＿ｂは、互いに電気的に直列に接続されたセル８１＿１ｂと、セル８１＿２ｂと、セル８１＿３ｂと、セル８１＿４ｂとを有する。
【００９２】
第４実施例における太陽電池モジュール８において、セル８１＿１ａは、「第１セル」の例である。セル８１＿２ａは、「第２セル」の例である。セル８１＿１ｂは、「第３セル」の例である。セル８１＿２ｂは、「第４セル」の例である。または、セル８１＿２ａの代わりに、セル８１＿３ａを「第２セル」の例とし、セル８１＿２ｂの代わりに、セル８１＿３ｂを「第４セル」の例とすることも可能である。
【００９３】
第２参考例および第４実施例について、太陽電池モジュール８の一部が遮光される場合の発電量について説明する。第２参考例および第４実施例において、太陽電池モジュール８の領域のうち、仮想直線Ｌ１に対して９時方向側の全ての領域が遮光されたとする。
【００９４】
第２参考例では、セル８１＿１およびセル８１＿２の発電量が０となるため、太陽電池モジュール８全体の発電量は、０となる。
これに対し、第４実施例では、セル８１＿１ａ、セル８１＿２ａ、セル８１＿３ａ、および、セル８１＿４ａが全て遮光されるため、これらのセル８１の発電量は、０となる。一方、セル８１＿１ｂ、セル８１＿２ｂ、セル８１＿３ｂ、および、セル８１＿４ｂは、遮光されないため、発電量が最大となる。太陽電池モジュール８全体の発電量は、遮光されない場合と比較して、１／２倍となる。このように、第４実施例における太陽電池モジュール８は、第２参考例と比較して発電量が向上する。具体的には、太陽電池モジュール８全体の面積のうち、仮想直線Ｌ１に対して９時方向側の面積が遮光されても、遮光されない場合と比較して、１／２倍の発電量を確保することが可能になる。同様に、第４実施例における太陽電池モジュール８は、仮想直線Ｌ１に対して３時方向側の面積が遮光されても、遮光されない場合と比較して、１／２倍の発電量を確保することが可能になる。
【００９５】
Ａ．３．７．第５実施例
図２２に、第５実施例における太陽電池モジュール８の平面図を示す。図２３に、第５実施例における太陽電池モジュール８の構成の一例を示す等価回路図を示す。第５実施例は、第２態様における太陽電池モジュール８について、直列数ｎが４であり、並列数ｍが２である場合の例である。直列数ｎが４であるから、太陽電池モジュール８は、互いに電気的に直列に接続された太陽電池８０＿ａと、太陽電池８０＿ｂと、太陽電池８０＿ｃと、太陽電池８０＿ｄとを有する。並列数ｍが２であるから、太陽電池８０＿ａは、互いに電気的に並列に接続されたセル８１＿１ａと、セル８１＿５ａとを有する。同様に、太陽電池８０＿ｂは、互いに電気的に並列に接続されたセル８１＿２ｂと、セル８１＿６ｂとを有する。同様に、太陽電池８０＿ｃは、互いに電気的に並列に接続されたセル８１＿３ｃと、セル８１＿７ｃとを有する。同様に、太陽電池８０＿ｄは、互いに電気的に並列に接続されたセル８１＿４ｄと、セル８１＿８ｄとを有する。
【００９６】
第２参考例および第５実施例について、太陽電池モジュール８の一部が遮光される場合の発電量について説明する。第２参考例および第５実施例において、太陽電池モジュール８の領域のうち、仮想直線Ｌ１に対して９時方向側の全ての領域が遮光されたとする。
【００９７】
第２参考例では、上述したように、太陽電池モジュール８全体の発電量は、０となる。これに対し、第５実施例では、遮光された領域の発電量を０とみなすと、セル８１＿１ａ、セル８１＿２ｂ、セル８１＿３ｃ、およびセル８１＿１４ｄが全て遮光されるため、これらのセル８１の発電量は、０となる。一方、セル８１＿５ａ、セル８１＿６ｂ、セル８１＿７ｃ、および、セル８１＿８ｄは、遮光されないため、発電量が最大となる。太陽電池モジュール８全体の発電量は、遮光されない場合と比較して、１／２倍となる。このように、第５実施例における太陽電池モジュール８は、第２参考例と比較して発電量が向上する。
【００９８】
Ａ．３．８．第３参考例
図２４に、第３参考例における太陽電池モジュール８の平面図を示す。第３参考例における太陽電池モジュール８の等価回路については、図示を省略する。第３参考例は、第１態様における太陽電池モジュール８について、直列数ｎが６であり、並列数ｍが１である場合の例である。太陽電池モジュール８は、互いに電気的に直列に接続されたセル８１＿１と、セル８１＿２と、セル８１＿３と、セル８１＿４と、セル８１＿５と、セル８１＿６とを有する。
【００９９】
Ａ．３．９．第６実施例
図２５に、第６実施例における太陽電池モジュール８の平面図を示す。第６実施例における太陽電池モジュール８の等価回路については、図示を省略する。第６実施例は、第１態様における太陽電池モジュール８について、直列数ｎが６であり、並列数ｍが２である場合の例である。第６実施例では、太陽電池モジュール８を、セル８１の面積が等しくなるように、円周方向に２分割、かつ、半径方向に６分割している。並列数ｍが２であるから、太陽電池モジュール８は、互いに電気的に並列に接続された太陽電池８０＿ａと、太陽電池８０＿ｂとを有する。直列数ｎが６であるから、太陽電池８０＿ａは、互いに電気的に直列に接続されたセル８１＿１ａと、セル８１＿２ａと、セル８１＿３ａと、セル８１＿４ａと、セル８１＿５ａと、セル８１＿６ａとを有する。同様に、太陽電池８０＿ｂは、互いに電気的に直列に接続されたセル８１＿１ｂと、セル８１＿２ｂと、セル８１＿３ｂと、セル８１＿４ｂと、セル８１＿５ｂと、セル８１＿６ｂとを有する。
【０１００】
第３参考例および第６実施例について、太陽電池モジュール８の一部が遮光される場合の発電量について説明する。第３参考例および第６実施例において、太陽電池モジュール８の領域のうち、仮想直線Ｌ１に対して９時方向側の全ての領域が遮光されたとする。
【０１０１】
第３参考例では、セル８１＿１、セル８１＿２、および、セル８１＿３の発電量が０となるため、太陽電池モジュール８全体の発電量は、０となる。
これに対し、第６実施例では、セル８１＿１ａ、セル８１＿２ａ、セル８１＿３ａ、セル８１＿４ａ、セル８１＿５ａ、および、セル８１＿６ａが全て遮光されるため、これらのセル８１の発電量は、０となる。一方、セル８１＿１ｂ、セル８１＿２ｂ、セル８１＿３ｂ、セル８１＿４ｂ、セル８１＿５ｂ、および、セル８１＿６ｂは遮光されないため、これらのセル８１の発電量は、最大となる。太陽電池モジュール８全体の発電量は、遮光されない場合と比較して、１／２倍となる。このように、第６実施例における太陽電池モジュール８は、第３参考例と比較して発電量が向上する。
【０１０２】
さらに、太陽電池モジュール８を分割する方法は、第１実施例等に示したように半径方向に限らず、第６実施例が示すように、円周方向に分割してもよい。
【０１０３】
Ｂ．第２実施形態
第２実施形態において、電子時計Ｗは、ＧＰＳ（Global Positioning System）機能を有する。位置情報衛星の一つであるＧＰＳ衛星からの衛星信号をＧＰＳアンテナ３７（図２７参照）が受信するために、平面視において、太陽電池モジュール８と、ＧＰＳアンテナ３７とが互いに重ならないように配置される。以下、第２実施形態について説明する。なお、以下に例示する各形態および各変形例において作用や機能が第１実施形態と同様である要素については、第１実施形態または第２実施形態のいずれかで使用した符号を流用して各々の詳細な説明を適宜に省略する。さらに、以下に示す要素については、説明の省略のため、特に記載がない場合、第２実施形態に関する要素であるとする。
【０１０４】
Ｂ．１．第２実施形態における電子時計Ｗの概要
図２６に、電子時計Ｗの構成図を示す。図２６において、図２に示した構成と同一構成のものには同一符号を付してある。
【０１０５】
電子時計Ｗは、図２に示した構成に加えて、ＧＰＳレシーバー２を有する。ＧＰＳレシーバー２は、位置情報衛星の一つであるＧＰＳ衛星からの衛星信号を受信する。
【０１０６】
図２７に、電子時計Ｗの構成を示す断面図を示す。図２７に示す断面図は、図１に示すIII−III線の断面図である。電子時計Ｗは、図３に示した構成に加えて、ＧＰＳレシーバー２と、アンテナ基板３６と、ＧＰＳアンテナ３７と、コネクター３８とを有する。
【０１０７】
回路基板３５の面上には、回路部品として、例えば、ＧＰＳレシーバー２および制御部６等が配置される。回路基板３５には、ＧＰＳレシーバー２および制御部６以外の回路部品も配置されるが、図面の煩雑化を避けるために、図２７では、ＧＰＳレシーバー２および制御部６のみを描画する。回路基板３５は、コネクター３８を介してアンテナ基板３６および二次電池３４と電気的に接続されている。ＧＰＳレシーバー２および制御部６は、シールド板３５１に覆われており、二次電池３４から供給される電力で駆動される。
【０１０８】
ＧＰＳアンテナ３７は、１．５ＧＨｚ帯のマイクロ波を受信するアンテナであり、文字板１５の裏面側に配置され、アンテナ基板３６上に実装されている。
【０１０９】
第２実施形態においても、太陽電池モジュール８には、第１の態様および第２の態様がある。平面視において、太陽電池モジュール８は、ＧＰＳアンテナ３７と重ならないように設けられる。
【０１１０】
図２８に、第１態様における太陽電池モジュール８の平面図を示す。第２実施形態における太陽電池モジュール８内のセル８１の接続態様は、第１実施形態と同一である。従って、第１態様における太陽電池モジュール８の等価回路について、図示を省略する。
【０１１１】
第２実施形態では、セル８１＿２ａおよびセル８１＿３ｂは、それぞれ、６時位置に切り欠き部８５＿２ａ、切り欠き部８５＿３ｂを有する。切り欠き部８５＿２ａおよび切り欠き部８５＿３ｂによって、平面視において、セル８１＿２ａおよびセル８１＿３ｂは、ＧＰＳアンテナ３７と重ならない。セル８１＿１ａ、セル８１＿２ａ、セル８１＿３ｂ、およびセル８１＿４ｂは、これらのセル８１の面積が互いに略等しいように形成される。
【０１１２】
図２９に、第２態様における太陽電池モジュール８の平面図を示す。第２実施形態における太陽電池モジュール８内のセル８１の接続態様は、第１実施形態と同一である。従って、第２態様における太陽電池モジュール８の等価回路について、図示を省略する。
【０１１３】
第２の態様でも第１の態様と同様に、セル８１＿２ｂおよびセル８１＿３ａは、それぞれ、６時位置に切り欠き部８５＿２ｂ、切り欠き部８５＿３ａを有する。切り欠き部８５＿２ｂおよび切り欠き部８５＿３ａによって、平面視において、セル８１＿２ｂおよびセル８１＿３ａは、ＧＰＳアンテナ３７と重ならない。セル８１＿１ａ、セル８１＿２ｂ、セル８１＿３ａ、およびセル８１＿４ｂは、これらのセル８１の面積が互いに略等しいように形成される。
【０１１４】
Ｂ．２．第２実施形態の効果
以上示したように、第２実施形態によれば、複数のセル８１に切り欠き部８５＿３ａを有しても、４つのセル８１が互いに直列に接続されている場合と比較して、発電効率の低下を抑制することが可能である。
【０１１５】
Ｂ．３．実施例
以下、第２実施形態の実施例を示すが、本発明は以下の例により限定されるものではない。上述した例では、直列数ｎおよび並列数ｍは２であったが、３以上でもよい。ｎまたはｍが３以上の場合の実施例について、参考例とともに説明する。
【０１１６】
Ｂ．３．１．第１参考例
図３０に、第１参考例における太陽電池モジュール８の平面図を示す。第１参考例は、第１態様における太陽電池モジュール８について、直列数ｎが４であり、並列数ｍが１である場合の例である。太陽電池モジュール８は、互いに電気的に直列に接続されたセル８１＿１と、セル８１＿２と、セル８１＿３と、セル８１＿４とを有する。セル８１＿２およびセル８１＿３は、平面視においてＧＰＳアンテナ３７と重ならないにするため、それぞれ、切り欠き部８５＿２および切り欠き部８５＿３を有する。
【０１１７】
Ｂ．３．２．第１実施例
図３１に、第１実施例における太陽電池モジュール８の平面図を示す。第１実施例は、第１態様における太陽電池モジュール８について、直列数ｎが４であり、並列数ｍが２である場合の例である。並列数ｍが２であるから、太陽電池モジュール８は、互いに電気的に並列に接続された太陽電池８０＿ａと、太陽電池８０＿ｂとを有する。直列数ｎが４であるから、太陽電池８０＿ａは、互いに電気的に直列に接続されたセル８１＿１ａと、セル８１＿２ａと、セル８１＿３ａと、セル８１＿４ａとを有する。同様に、太陽電池８０＿ｂは、互いに電気的に直列に接続されたセル８１＿５ｂと、セル８１＿６ｂと、セル８１＿７ｂと、セル８１＿８ｂとを有する。
【０１１８】
第１実施例および第１参考例について、太陽電池モジュール８の一部が遮光される場合の発電量について説明する。第３実施例および第１参考例において、太陽電池モジュール８の領域のうち、仮想直線Ｌ１に対して９時方向側の全ての領域が遮光されたとする。
【０１１９】
第１参考例では、セル８１＿１およびセル８１＿２の発電量が０となるため、太陽電池モジュール８全体の発電量は、０となる。
第１実施例では、遮光された領域の発電量を０とみなすと、セル８１＿１ａ、セル８１＿２ａ、セル８１＿３ａ、および、セル８１＿４ａが全て遮光されるため、これらのセル８１の発電量は、０となる。一方、セル８１＿５ｂ、セル８１＿６ｂ、セル８１＿７ｂ、および、セル８１＿８ｂは、遮光されないため、これらのセル８１の発電量は、最大となる。太陽電池モジュール８全体の発電量は、遮光されない場合と比較して、１／２倍となる。このように、第１実施例における太陽電池モジュール８は、第１参考例と比較して発電量が向上する。具体的には、太陽電池モジュール８全体の面積のうち、仮想直線Ｌ１に対して９時方向側の面積が遮光されても、遮光されない場合と比較して、１／２倍の発電量を確保することが可能になる。同様に、第４実施例における太陽電池モジュール８は、仮想直線Ｌ１に対して３時方向側の面積が遮光されても、遮光されない場合と比較して、１／２倍の発電量を確保することが可能になる。
【０１２０】
Ｃ．第３実施形態
第３実施形態では、２以上のセル８１を同心円状に配置し、互いに直列に接続する。さらに、第３実施形態では、時針１１、分針１２、および秒針１３の影の影響を考慮した太陽電池８０を有する。以下、第３実施形態について説明する。第１実施形態および第２実施形態では、太陽電池モジュール８は、複数の太陽電池８０を有したが、第３実施形態では、太陽電池モジュール８は、１つの太陽電池８０で構成される。なお、以下に例示する各形態および各変形例において作用や機能が第１実施形態と同様である要素については、第１実施形態または第２実施形態のいずれかで使用した符号を流用して各々の詳細な説明を適宜に省略する。さらに、以下に示す要素については、説明の省略のため、特に記載がない場合、第３実施形態に関する要素であるとする。
【０１２１】
Ｃ．１．第３実施形態における電子時計Ｗの概要
図３２に、電子時計Ｗの構成図を示す。図３２において、図２に示した構成と同一構成のものには同一符号を付してある。
【０１２２】
表示部１０は、図２に示した構成に加えて、カレンダー車１７を有する。カレンダー車１７は、現在の日付および曜日を示す。
【０１２３】
電子時計Ｗは、カレンダー車１７に関する構成として、ムーブメント２０内に、輪列機構２０３、ステッピングモーター２１３、および、モータードライバー２２３を含む。モータードライバー２２３は、輪列機構２０１を介してカレンダー車１７を駆動するためにステッピングモーター２１３を駆動する。
【０１２４】
図３３に、第３実施形態における電子時計Ｗの平面図を示す。図３３に示す電子時計Ｗは、説明の簡略化のため、太陽電池モジュール８と、時針１１と、分針１２と、秒針１３と、カレンダー車１７とのみを図示する。
【０１２５】
図３３に示す太陽電池モジュール８は、互いに電気的に直列に接続されたセル８１＿１と、セル８１＿２と、セル８１＿３と、セル８１＿４とを有する。セル８１＿１と、セル８１＿２と、セル８１＿３と、セル８１＿４とは、同心円状に設けられる。セル８１＿１は、最も内側に設けられる。セル８１＿２は、セル８１＿１に隣り合う位置に設けられる。換言すると、セル８１＿１は最も内側に配置され、セル８１＿２は指針軸１４に対してセル８１＿１より外側に設けられる。セル８１＿３は、セル８１＿２に隣り合う位置に設けられる。セル８１＿４は、セル８１＿３に隣り合う位置に設けられる。全てのセル８１の面積が、互いに等しいことが好ましい。仮に、時針１１、分針１２、秒針１３、および、カレンダー車１７がない場合、セル８１＿１の半径をｒとすると、セル８１＿２、セル８１＿３、セル８１＿４の半径を、それぞれ、√２ｒ、√３ｒ、２ｒに設定すれば、全てのセル８１の面積が互いに等しくなる。
【０１２６】
しかし、実際には図３３に示すように、時針１１、分針１２、秒針１３、および、カレンダー車１７が存在し、図３３に示すように、中心側に設けられたセル８１ほど、時針１１、分針１２、秒針１３、または、カレンダー車１７と重なり、実効的な発電面積が減少する。そこで、中心側に設けられたセル８１の面積は、外側に設けられたセル８１の面積よりも、中心側に設けられたセル８１が時針１１、分針１２、秒針１３、または、カレンダー車１７と重なる領域の面積のみ大きくすればよい。
【０１２７】
カレンダー車１７のＺ軸方向の位置関係について、カレンダー車１７は、太陽電池モジュール８より裏側に位置する。従って、カレンダー車１７を視認させるため、平面視において、カレンダー車１７と重なるセル８１＿１、セル８１＿４は、カレンダー車１７がユーザーから見えるように切り欠きが存在する。セル８１＿２およびセル８１＿３は、カレンダー車１７がユーザーから見えるようにするため、切断されている。
【０１２８】
例えば、図３３の例では、セル８１＿１は、時針１１の回転運動が可能な範囲、分針１２の回転運動が可能な範囲、秒針１３の回転運動が可能な範囲、およびカレンダー車１７と重なる。セル８１＿２は、時針１１の先端の回転運動が可能な範囲、分針１２の回転運動が可能な範囲、秒針１３の回転運動が可能な範囲、およびカレンダー車１７と重なる。セル８１＿３は、分針１２の先端の回転運動が可能な範囲、秒針１３の先端の回転運動が可能な範囲、およびカレンダー車１７と重なる。セル８１＿４は、カレンダー車１７と重なり、時針１１、分針１２、および秒針１３の回転運動が可能な範囲と重ならない。
従って、セル８１＿１の面積は、セル８１＿４の面積に、時針１１、分針１２、および秒針１３の影を加えた面積に設定する。同様に、セル８１＿２の面積は、セル８１＿４の面積に、時針１１の先端、分針１２、および秒針１３の影を加えた面積に設定する。同様に、セル８１＿３の面積は、セル８１＿４の面積に、分針１２の先端および秒針１３の先端の影を加えた面積に設定する。このようなセル８１の面積の設定を行うことにより、時針１１、分針１２、および、秒針１３の影響を分散し、高い発電効率を得ることが可能になる。
【０１２９】
ここで、時針１１、分針１２、または、秒針１３と、セル８１とが重なる領域の面積、すなわちセル８１が遮光される面積は、時針１１、分針１２、および秒針１３の向きによって変動する。従って、セル８１＿１とセル８１＿４との面積の好ましい関係は、下記（２）式によって示される。下記（２）式で示す指針とは、時針１１、分針１２、および秒針１３である。セル８１＿４は、第３実施形態における「第１太陽電池」および「第１セル」の例である。セル８１＿１は、第３実施形態における「第２太陽電池」および「第２セル」の例である。セル８１＿２およびセル８１＿３は、第３実施形態における「第３セル」の例である。「第１セル」は、（２）式で示す指針の回転運動が可能な範囲と重ならず、「第２セル」および「第３セル」は、（２）式で示す指針の回転運動が可能な範囲と重なる。そして、「第３セル」は、「第２セル」の外側に配置される。従って、内側から、「第２セル」、「第３セル」、「第１セル」の順に配置される。この配置の順であればよいため、セル８１＿２が、第３実施形態における「第２セル」の例であり、セル８１＿３が、第３実施形態における「第３セル」の例とすることも可能である。
【０１３０】
セル８１＿１が指針と重なる面積が最も大きくなる最大面積をセル８１＿１の面積から除いた面積≦セル８１＿４の面積≦セル８１＿１が指針と重なる面積が最も小さくなる最小面積をセル８１＿１の面積から除いた面積  （２）
【０１３１】
より好ましくは、下記（３）式を満たすとよい。下記（３）式で示す指針とは、時針１１、分針１２、および秒針１３である。
【０１３２】
セル８１＿１が指針と重なる面積が最も大きくなる最大面積をセル８１＿１の面積から除いた面積＝セル８１＿４の面積  （３）
【０１３３】
（３）式がより好ましい理由について説明する。（２）式において、セル８１＿１が指針と重なる面積が最も小さい場合、すなわち、セル８１＿１が時針１１、分針１２、または秒針１３と重なる面積が最も小さい場合とは、時針１１、分針１２、および秒針１３が互いに重なる場合である。時針１１が１周する間のうち、時針１１、分針１２、および秒針１３が互いに重ならない時間が大半であるため、時針１１、分針１２、および秒針１３が互いに重ならない場合で時針１１、分針１２、および秒針１３の影の影響を考慮した方が実態に近いためである。例えば、電子時計Ｗの設計者は、時針１１が１周する間に、時針１１、分針１２、および秒針１３の影の平均面積を求め、セル８１＿１、セル８１＿１、セル８１＿１、およびセル８１＿４の面積を設定する。
【０１３４】
図３４を用いて、（２）式においてセル８１＿１が指針と重なる面積が最も大きい場合を示し、図３５を用いて、（２）式においてセル８１＿１が指針と重なる面積が最も小さい場合を示す。図３４および図３５では、説明の簡略化のため、秒針１３とセル８１とが重なる領域とについては図示および説明を省略する。
【０１３５】
図３４に、時針１１または分針１２とセル８１＿１とが重なる面積が最も大きい場合を示す。図３４に示すように、平面視において、時針１１と分針１２とが互いに最も重ならない場合に、時針１１または分針１２とセル８１＿１とが重なる面積が最も大きくなる最大面積となり、セル８１＿１の面積から前述の最大面積を除いた面積は、最小となる。この場合のセル８１＿１の面積から時針１１または分針１２と重なる面積を除いた面積を、Ｓ１＿ＭＩＮとする。面積Ｓ１＿ＭＩＮは、図３４において、ひし形の網掛けを付与した領域である。セル８１＿１が、時針１１、分針１２、およびカレンダー車１７と重ならない場合の面積をＳ１とすると、下記（４）式の関係が成り立つ。
【０１３６】
Ｓ１＿ＭＩＮ＝Ｓ１−Ｓ＿Ｃ１−Ｓ＿ＨＭＡＸ１  （４）
【０１３７】
面積Ｓ＿Ｃ１は、セル８１＿１とカレンダー車１７とが重なる部分の面積である。面積Ｓ＿Ｃ１は、図３４において、左上から右下に向かう斜線の網掛けを付与した領域である。面積Ｓ＿ＨＭＡＸ１は、時針１１または分針１２とセル８１＿１とが重なる最大面積である。面積Ｓ＿ＨＭＡＸ１は、図３４において、右上から左下に向かう斜線の網掛けを付与した領域である。
【０１３８】
図３５に、時針１１または分針１２とセル８１＿１とが重なる面積が最も小さい場合を示す。図３５に示すように、平面視において、時針１１と分針１２とが互いに最も重なる場合に、時針１１または分針１２とセル８１＿１とが重なる面積が最も小さくなる最小面積となり、セル８１＿１の面積から前述の最小面積を除いた面積は、最大となる。この場合のセル８１＿１の面積から時針１１または分針１２と重なる面積を除いた面積を、Ｓ１＿ＭＡＸとする。面積Ｓ１＿ＭＡＸは、図３５において、ひし形の網掛けを付与した領域である。前述した面積Ｓ１を用いると、下記（５）式の関係が成り立つ。
【０１３９】
Ｓ１＿ＭＡＸ＝Ｓ１−Ｓ＿Ｃ１−Ｓ＿ＨＭＩＮ１  （５）
【０１４０】
面積Ｓ＿Ｃ１は、セル８１＿１とカレンダー車１７とが重なる部分の面積である。面積Ｓ＿Ｃ１は、図３５において、左上から右下に向かう斜線の網掛けを付与した領域である。面積Ｓ＿ＨＭＩＮ１は、時針１１または分針１２とセル８１＿１とが重なる最小面積である。面積Ｓ＿ＨＭＩＮ１は、図３５において、右上から左下に向かう斜線の網掛けを付与した領域である。
【０１４１】
（４）式および（５）式を、（２）式に代入することにより、下記（６）式が得られる。
【０１４２】
Ｓ１−Ｓ＿Ｃ１−Ｓ＿ＨＭＡＸ１≦セル８１＿４の面積≦Ｓ１−Ｓ＿Ｃ１−Ｓ＿ＨＭＩＮ１  （６）
【０１４３】
また、セル８１＿１とセル８１＿２との面積の好ましい関係は、下記（７）式によって示される。下記（７）式で示す長針とは、時針１１に対する分針１２または時針１１に対する秒針１３のように、２つの異なる指針の長さを比較した場合に相対的に長い指針である。また、下記（７）式で示す短針とは、分針１２に対する時針１１または秒針１３に対する時針１１のように、２つの異なる指針の長さを比較した場合に相対的に短い指針である。
【０１４４】
セル８１＿１が長針および短針と重なる面積が最も大きくなる最大面積をセル８１＿１の面積から除いた面積≦セル８１＿２が長針および短針と重なる面積が最も大きくなる最大面積をセル８１＿２の面積から除いた面積＜セル８１＿２が長針および短針と重なる面積が最も小さくなる最小面積をセル８１＿２の面積から除いた面積≦セル８１＿１が長針および短針と重なる面積が最も小さくなる最小面積をセル８１＿１の面積から除いた面積  （７）
【０１４５】
（７）式において、セル８１＿１が長針および短針と重なる面積が最も大きくなる最大面積をセル８１＿１の面積から除いた面積は、（４）式であらわされる。また、セル８１＿１が長針および短針と重なる面積が最も小さくなる最小面積をセル８１＿１の面積から除いた面積は、（５）式であらわされる。従って、（７）式に、（４）式および（５）式を代入すると、（８）式が得られる。
【０１４６】
Ｓ１−Ｓ＿Ｃ１−Ｓ＿ＨＭＡＸ１≦セル８１＿２が長針および短針と重なる面積が最も大きくなる最大面積をセル８１＿２の面積から除いた面積＜セル８１＿２が長針および短針と重なる面積が最も小さくなる最小面積をセル８１＿２の面積から除いた面積≦Ｓ１−Ｓ＿Ｃ１−Ｓ＿ＨＭＩＮ１  （８）
【０１４７】
なお、図３４および図３５において、指針軸１４の外側にある破線の輪郭、および、セル８１＿１の１２時方向および９時方向にある破線の輪郭は、平面視において、セル８１＿１の輪郭のうち、時針１１または分針１２の影となって見えない輪郭を描画したものである。さらに、セル８１＿１の３時方向にある一点破線について、上述したように、太陽電池モジュール８は、カレンダー車１７より表側に位置しており、セル８１＿１とカレンダー車１７とが互いに重なる領域では、セル８１＿１には切り込みがされている。従って、セル８１＿１の輪郭のうち、カレンダー車１７の影となってユーザーから見えない輪郭はない。しかしながら、面積Ｓ＿Ｃ１の輪郭を明確にするため、図３４および図３５では、一点破線を描画している。
【０１４８】
Ｃ．２．第３実施形態の効果
以上示したように、第３実施形態では、セル８１＿４の面積が、セル８１＿１が指針と重なる面積が最も大きくなる最大面積をセル８１＿１の面積から除いた面積以上、かつ、セル８１＿１が指針と重なる面積が最も小さくなる最小面積をセル８１＿１の面積から除いた面積以下である。言い換えれば、セル８１＿４の面積が、セル８１＿１の遮光されない面積の変動範囲内にある。セル８１＿４の面積が、セル８１＿１の遮光されない面積の変動範囲外にある場合、セル８１＿１またはセル８１＿４のうち、発電電流が少ないセル８１が、常にいずれか一方のセル８１となり、他方のセル８１の発電の一部が常に無駄になってしまう。従って、第３実施形態によれば、セル８１＿４の面積が、セル８１＿２の遮光されない面積の変動範囲外にある場合と比較して、発電効率の低下を抑制することが可能になる。
【０１４９】
また、セル８１＿２の面積は指針の状態によらず、セル８１＿１が指針と重なる面積が最も大きくなる最大面積をセル８１＿１の面積から除いた面積以上、かつ、セル８１＿１が指針と重なる面積が最も小さくなる最小面積をセル８１＿１の面積から除いた面積以下である。言い換えれば、セル８１＿２の面積は指針の状態によらず、セル８１＿１の遮光されない面積の変動範囲内にある。セル８１＿４の面積が、セル８１＿１の遮光されない面積の変動範囲外にある場合、セル８１＿１またはセル８１＿２のうち、発電電流が少ないセル８１が、常にいずれか一方のセル８１となり、他方のセル８１の発電の一部が常に無駄になってしまう。従って、第３実施形態によれば、セル８１＿２の面積が、セル８１＿２の遮光されない面積の変動範囲外にある場合と比較して、発電効率の低下を抑制することが可能になる。
【０１５０】
Ｃ．３．実施例
以下、第３実施形態の実施例を示すが、本発明は以下の例により限定されるものではない。
【０１５１】
Ｃ．３．１．第１実施例
図３６に、第１実施例における太陽電池モジュール８の平面図を示す。第１実施例における太陽電池モジュール８は、互いに電気的に直列に接続されたセル８１＿１と、セル８１＿２と、セル８１＿３と、セル８１＿４とを有する。図３６に示すように、セル８１＿１は、平面視において、６時方向に突出する凸部８６＿１を有する。セル８１＿２と、セル８１＿３と、セル８１＿４とは、凸部８６＿１に沿って切断されている。
【０１５２】
凸部８６＿１の６時位置には、電極部８７＿１を有する。また、セル８１＿４は、電極部８７＿４を有する。電極部８７＿１および電極部８７＿４は、二次電池３４と電気的に接続される。セル８１＿１の電極部８７＿１が、凸部８６＿１の６時位置、すなわち外周側に位置することにより、セル８１＿１と、二次電池３４との配線しやすくすることが可能になる。電極部８７＿１が内周側に位置する場合、ムーブメント２０の存在によって、セル８１＿１と二次電池３４とが配線しにくい場合があるためである。
【０１５３】
Ｄ．変形例
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【０１５４】
Ｄ．１．第１変形例
図３７に、第１変形例における電子時計Ｗの平面図を示す。図３７に示すように、本発明は、アナログ時計を例に説明したが、デジタル時計に対しても本発明を適用することが可能である。図３７に示す電子時計Ｗは、操作ボタンＢ１、操作ボタンＢ２、操作ボタンＢ３、操作ボタンＢ４および操作ボタンＢ５、表示部１０、第２バンド部Ｆ、第１バンド部Ｇ、ならびに、太陽電池モジュール８を有する。図３７に示す太陽電池モジュール８は、第１実施形態の第１態様における太陽電池モジュール８である。太陽電池モジュール８は、第１実施形態における第２の態様でもよい。太陽電池モジュール８の形状は、円環状である。
【０１５５】
表示部１０は、ＬＣＤ（Liquid Crystal Display：液晶ディスプレイ）または有機ＥＬ（ElectroLuminescence）ディスプレイである。平面視において、表示部１０は、太陽電池モジュール８と重なる。
【０１５６】
Ｄ．２．その他の変形例
第１実施形態の第１態様における太陽電池モジュール８において、太陽電池８０＿ａは、第１領域Ｒ１内に設けられていたが、これに限らない。例えば、太陽電池８０＿ａの一部が、第２領域Ｒ２内に設けられていてもよい。同様に、太陽電池８０＿ｂの一部が、第１領域Ｒ１内に設けられていてもよい。
第１実施形態の第２態様における太陽電池モジュール８において、セル８１＿１ａおよびセル８１＿２ｂが第１領域Ｒ１内に設けられていたが、これに限らない。例えば、セル８１＿１ａの一部またはセル８１＿２ｂの一部が、第２領域Ｒ２内に設けられていてもよい。同様に、第１実施形態の第２態様における太陽電池モジュール８において、セル８１＿３ａおよびセル８１＿４ｂが第２領域Ｒ２内に設けられていたが、これに限らない。例えば、セル８１＿３ａの一部またはセル８１＿４ｂの一部が、第１領域Ｒ１内に設けられていてもよい。
【０１５７】
第１実施形態の第１態様における太陽電池モジュール８において、セル８１＿１ａとセル８１＿３ｂとは、平面視において、指針軸１４に対して点対称に設けられていたが、これに限らない。セル８１＿２ａとセル８１＿４ｂとについても同様である。
第１実施形態の第２態様における太陽電池モジュール８において、セル８１＿１ａとセル８１＿３ａとは、平面視において、指針軸１４に対して点対称に設けられていたが、これに限らない。セル８１＿２ｂとセル８１＿４ｂとについても同様である。例えば、セル８１＿１ａとセル８１＿３ａとを仮想直線Ｌ１に対して線対称に配置し、セル８１＿２ｂとセル８１＿４ｂとを仮想直線Ｌ１に対して線対称に配置してもよい。
【０１５８】
第１実施形態の第３実施例の変形例のように、太陽電池モジュール８には、１つのセル８１で構成される太陽電池８０と、互いに電気的に並列に接続された複数のセル８１を含む太陽電池８０とが混在してもよい。例えば、第１実施形態の第２態様における太陽電池モジュール８において、セル８１＿１ａとセル８１＿３ａとを仮想直線Ｌ１に対して線対称に配置し、セル８１＿２ｂとセル８１＿４ｂとを仮想直線Ｌ１に対して線対称に配置してもよいことを上述した。この上述した例において、セル８１＿１ａとセル８１＿３ａとを１つのセル８１ａとすること、または、セル８１＿２ｂとセル８１＿４ｂとを１つのセル８１ｂとすることができる。図１６に示すように、太陽電池８０を構成する１つのセル８１は、平面視において、仮想直線Ｌ１に対して線対称な形状であることが好ましいが、仮想直線Ｌ１に対して線対称な形状でなくてもよい。
【０１５９】
第２実施形態において、セル８１の一部が切り欠き部８５を有したのは、ＧＰＳ電波を受信するためであったが、他の理由によってセル８１の一部が切り欠き部８５を有してもよい。例えば、電子時計Ｗが、コンビネーションクォーツ（ＣＱ：Combination Quartz）時計である場合に、ディスプレイを配置するために、セル８１の一部が切り欠き部８５を有してもよい。
【０１６０】
また、第２実施形態において、ＧＰＳアンテナ３７は、ＧＰＳ衛星から送信された衛星信号を受信したが、ＧＮＳＳの測位用衛星またはＧＮＳＳ以外の測位用衛星からの衛星信号を用いてもよい。例えば、情報処理装置は、ＷＡＡＳ（Wide Area Augmentation System）、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、またはＢｅｉＤｏｕ（BeiDou Navigation Satellite System）等の衛星測位システムのうち１つ、あるいは２つ以上のシステムの衛星からの衛星信号を受信してもよい。
【０１６１】
第３実施形態における（２）式を、第１実施形態または第２実施形態のセル８１に適用してもよい。例えば、第１実施形態の第６実施例の太陽電池モジュール８を例にして説明する。平面視において、セル８１＿１ａが指針の回転運動が可能な範囲と重なり、セル８１＿６ａが指針の回転運動が可能な範囲と重ならないとする。この場合、第３実施形態における（２）式のセル８１＿１をセル８１＿１ａに置き換え、（２）式のセル８１＿４をセル８１＿６ａに置き換えて、置き換えた後の（２）式を満たすようにセル８１＿１ａおよびセル８１＿６ａの面積を設定してもよい。
【０１６２】
また、第３実施形態において、セル８１が遮光される面積は、時針１１、分針１２、および秒針１３の向きという複数の指針のそれぞれの向きによって変動したが、一つの指針によって変動することもある。例えば、第３実施形態において、時針１１、分針１２、および秒針１３のうち、時針１１のみある場合を想定する。この想定において、時針１１がカレンダー車１７と重なる場合のセル８１＿１が遮光されない面積は、時針１１がカレンダー車１７と重ならない場合のセル８１＿１が遮光されない面積より広くなる。
【０１６３】
また、上述した各形態において、複数のセル８１を互いに直列に接続して得られる電圧が、二次電池３４の電圧を超えてもよいし、超えなくてもよい。得られる電圧が、二次電池３４の電圧を超えない場合、二次電池３４を充電するために、太陽電池モジュール８と二次電池３４とが、昇圧回路を介して互いに電気的に接続すればよい。なお、昇圧回路を用いることにより、１つのセル８１から得られる電圧を昇圧し、二次電池３４を充電することも考えられるが、昇圧する前の電圧が低いほど、昇圧回路の変換効率が低下する。従って、上述したように、複数のセル８１を互いに直列に接続して得られる電圧を昇圧することが好ましい。
【０１６４】
以上の各形態において、複数のセル８１のそれぞれの面積は互いに等しいことが好ましいが、複数のセル８１のそれぞれの形状は、互いに異なってもよい。
【０１６５】
以上の各形態において、表示部１０の形状は円形であったが、円形に限られない。例えば、表示部１０の形状は矩形でもよい。
【０１６６】
以上の各形態において、時針１１、分針１２、および秒針１３は、太陽電池モジュール８から供給される電力によって動作可能であったが、電力の供給源は、太陽電池モジュール８のみに限らない。例えば、時針１１、分針１２、および秒針１３は、太陽電池モジュール８の他に、ぜんまい、熱発電モジュール、または、機械発電モジュールで発電された電力によって動作してもよい。
【符号の説明】
【０１６７】
８…太陽電池モジュール、１０…表示部、１１…時針、１２…分針、１３…秒針、１４…指針軸、１５…文字板、１６…目盛り、１７…カレンダー車、３１…筐体、８０…太陽電池、８１…セル、Ｌ１…仮想直線、Ｗ…電子時計。
【図１】
2019194543.tif 000003
【図２】
2019194543.tif 000004
【図３】
2019194543.tif 000005
【図４】
2019194543.tif 000006
【図５】
2019194543.tif 000007
【図６】
2019194543.tif 000008
【図７】
2019194543.tif 000009
【図８】
2019194543.tif 000010
【図９】
2019194543.tif 000011
【図１０】
2019194543.tif 000012
【図１１】
2019194543.tif 000013
【図１２】
2019194543.tif 000014
【図１３】
2019194543.tif 000015
【図１４】
2019194543.tif 000016
【図１５】
2019194543.tif 000017
【図１６】
2019194543.tif 000018
【図１７】
2019194543.tif 000019
【図１８】
2019194543.tif 000020
【図１９】
2019194543.tif 000021
【図２０】
2019194543.tif 000022
【図２１】
2019194543.tif 000023
【図２２】
2019194543.tif 000024
【図２３】
2019194543.tif 000025
【図２４】
2019194543.tif 000026
【図２５】
2019194543.tif 000027
【図２６】
2019194543.tif 000028
【図２７】
2019194543.tif 000029
【図２８】
2019194543.tif 000030
【図２９】
2019194543.tif 000031
【図３０】
2019194543.tif 000032
【図３１】
2019194543.tif 000033
【図３２】
2019194543.tif 000034
【図３３】
2019194543.tif 000035
【図３４】
2019194543.tif 000036
【図３５】
2019194543.tif 000037
【図３６】
2019194543.tif 000038
【図３７】
2019194543.tif 000039